(57)【要約】      （修正有）【課題】十分な挟持力を持たせ、長いブレードと短いブレードのどちらのドリルにも適用できるコレットチャック構造を提供する。【解決手段】前後端面を貫通するセンターバレル３０と、後端へ徐々に縮小する後錐部４０と、前端へ徐々に縮小し、後錐部より長い前錐部５０と、外周面に設けられ且つ前後錐部の間に位置する環溝６０と、前端面から後錐部に延伸し且つ後端面まで貫通しない複数の前切断溝と、後錐部から前錐部に延伸し且つ外周面からセンターバレルに貫通し、複数の前切断溝と交錯設置される複数の後切断溝と、を含み、隣り合う前切断溝間にコレットチャックを形成し、その前端の内側面にセンターバレル中心へ凸設するクリップブロック７２を有し、クリップブロックが前錐部の半分より短く、複数の後切断溝が複数の開放溝８１と封止溝８２を含み、開放溝の前端が密閉状を呈して後端が開口状を呈し、封止溝の前後端が密閉状を呈する。【選択図】図９
0003190089.tif 000002
【実用新案登録請求の範囲】
【請求項１】
前後端面を貫通し、且つドリルを貫通設置させることができるセンターバレルと、
後端に位置し且つ後方へ向けて漸近的に縮小する後錐部と、
前端に位置し且つ前方へ向けて漸近的に縮小し、長さが該後錐部より長い前錐部と、
外周面に設けられ且つ該前後錐部の間に位置する環溝と、
該前錐部から該後錐部に延伸し、外周面から該センターバレルまで貫通し、且つ前端が前端面に延伸して開口状を呈し、後端が後端面まで貫通せずに密閉状を呈する複数の前切断溝であり、各２つの隣り合う前切断溝の間は、それぞれクリップ爪を形成し、該クリップ爪の前端の内側面にそれぞれ該センターバレルへ凸設するクリップブロックを有し、該ドリルのブレードを挟ませることができ、且つ該クリップブロックの長さが該前錐部の半分より小さい複数の前切断溝と、
該後錐部から該前錐部に延伸し、且つ外周面から該センターバレルまで貫通する複数の後切断溝であり、該複数の切断溝は、該複数の前切断溝と交錯設置され、且つ複数の開放溝及び複数の封止溝を含み、該複数の開放溝の前端は、前端面まで貫通せずに密閉状を呈し、後端が後端面に貫通して開口状を呈し、該複数の封止溝の前後端は、何れも前後端面に貫通せずに密閉状を呈する複数の後切断溝と、
を含むコレットチャック構造。
【請求項２】
前記複数のクリップブロックは、該センターバレルの前端においてクリップ孔を囲い、該クリップ孔は、該ドリルのブレードを貫通設置させることができ、該クリップ孔後側のセンターバレルは、該ドリルのブレード柄を貫通設置させることができる請求項１に記載のコレットチャック構造。
【請求項３】
前記封止溝の後端は、両側溝壁を接続する接続ブロックを有し、それに密閉状を形成させる請求項１に記載のコレットチャック構造。
【請求項４】
前記前切断溝の数量が８つであり、後切断溝の数量が８つであり、該後切断溝は、４つの開放溝と４つの封止溝を含む請求項１に記載のコレットチャック構造。
【請求項５】
前記前切断溝の数量が６つであり、該後切断溝の数量が６つであり、該後切断溝は、３つの開放溝と３つの封止溝を含む請求項１に記載のコレットチャック構造。
【考案の詳細な説明】
【技術分野】
【０００１】
本考案は、ドリルを挟持固定することに用いるコレットチャック構造方面の技術分野に関し、特に、十分な挟持力を有し、長い刃のドリル及び短い刃のドリルを挟持することに適用可能なコレットチャック構造に関する。
【背景技術】
【０００２】
台湾公告第Ｍ２８４４８３号の専利は、一般によく見られるブレード又はドリル研磨機上に応用されるコレットチャック構造であり、その構造は、図１〜図３に示すように、主に固定部材１０、ナット１１及び該固定部材１０及び該ナット１１の間に挟み設けられるコレットチャック１２を含み、そのうち、該コレットチャック１２は、前後端面を貫通するセンターバレル１３、後方へ向けて徐々に縮小する後錐部１４、前方へ向けて徐々に縮小し且つ該後錐部１４より長い前錐部１５、前端面から該後錐部１４に延伸し且つ後端面を貫通しない複数の前切断溝１６及び後端面１６から該前錐部１５に延伸し且つ該前端面を貫通しない複数の後切断溝１７を含む。各２つの互いに隣り合う前切断溝１６の間は、それぞれクリップ爪１８を形成し、該クリップ爪１８の前端の内側面にそれぞれ該センターバレル１３の中央へ凸設するクリップブロック１９を有し、該クリップブロック１９の長さは、該前錐部１５の半分より大きい。該複数のクリップ爪１８のクリップブロック１９は、該センターバレル１３の前端にクリップ孔１９０を囲う。そのうち、該前切断溝１６及び該後切断溝１７の数量は、それぞれ８つであるか、それぞれ６つであることができる。
【０００３】
図３から分かるように、該従来のコレットチャック１２の前錐部１５の長さがＨであり、クリップブロック１９の長さがｈである。従って、該従来のコレットチャック１２を用いて短いブレード２１のドリル２０を挟持する時（即ち、該ドリル２０のブレード２１が該クリップ孔１９０に貫通設置され、該ドリル２０のブレード柄２２が該クリップ孔１９０後側のセンターバレル１３に貫通設置される時）、該クリップブロック１９の長さが該前錐部１５の半分（それは、前錐部１５の後端に近接する）より大きいので、該ドリル２０のブレード２１は、該コレットチャック１２の前端に僅かな長さＬを突出することしかできない。この短い長さは、短時間の使用後に摩損によりコレットチャック１２の前端に接近して使用することができなくなる可能性があり、更には、加工の深度の制限により使用できなくなるので、該従来のコレットチャック１２は、長いブレード２１のドリル２０を挟持することにしか適用することができず、短いブレード２１のドリル２０に適合することができず、従って、一旦該ドリル２０のブレード２１が一定の長さまで使用されると、使用できなくなり、廃棄しなければならず、該ドリル２０は、実際に依然として少なくとも該クリップブロック１９に挟まれる短くないブレード２１が十分に使用されることができずに浪費され、特に長いブレード２１のドリル２０の使用寿命は、大幅に短縮される。
【先行技術文献】
【特許文献】
【０００４】
【特許文献１】特開平８−３２３５１６号公報
【考案の概要】
【考案が解決しようとする課題】
【０００５】
従来のコレットチャック構造は、長いブレードのドリルにのみ適合でき、短いブレードのドリルに適用できず、浪費及び消耗材料のコストを増加させる問題を招く。
【課題を解決するための手段】
【０００６】
本考案は、コレットチャック構造を提供し、それは、センターバレル、後錐部、前錐部、環溝、複数の前切断溝及び複数の後切断溝を含む。そのうち、該センターバレルは、前後端面を貫通し、且つドリルを貫通設置させることができる。該後錐部は、後端に位置し、且つ後方へ向けて漸近的に縮小する。該前錐部は、前端に位置し、且つ前方へ向けて漸近的に縮小し、該前錐部の長さは、該後錐部より大きい。該環溝は、該周面に設けられ、且つ該前後錐部の間に位置する。該複数の前切断溝は、該前錐部から該後錐部に延伸され、それは、該周面から該センターバレルまで貫通し、且つ前端が前端面に延伸して開口を呈し、後端が後端面に貫通せずに密閉状を呈する。各２つの隣り合う前切断溝の間は、クリップ爪をそれぞれ形成し、該クリップ爪の前端の内側面は、それぞれ該センターバレルの中央へ凸設するクリップブロックを有し、該ドリルのブレードを挟ませることができ、且つ該クリップブロックの長さは、該前錐部の半分より小さい。該複数の後切断溝は、該後錐部から該前錐部に延伸し、且つ該周面から該センターバレルに貫通する。該複数の後切断溝は、該複数の前切断溝と交錯設置を呈し、且つ複数の開放溝及び複数の封止溝を含む。該複数の開放溝の前端は、前端面まで貫通せずに密閉状を呈し、後端は、後端面に貫通して開口状を呈し、該複数の封止溝の前後端は、何れも前後端面まで貫通せず、密閉状を呈する。
【考案の効果】
【０００７】
本考案が提供するコレットチャック構造は、該クリップブロックの長さが該前錐部の半分より小さい設計によって、該コレットチャックが短いブレードのドリルを挟持する時、該ドリルのブレードが該コレットチャックの前端に比較的長い長さを突出でき、特に、該複数の後切断溝及び該複数の前切断溝が交錯設置を呈する設計を利用し、該複数の後切断溝の後端に開口状を呈する開放溝の数量を該前切断溝の数量より少なくさせ、従って、該複数の前切断溝が形成する複数のクリップ爪にこれにより比較的強い剛性を持たせ、相対して、該負数のクリップ爪前端のクリップブロックに比較的大きな支持力を持たせ、挟まれるドリルが研磨又は加工時に偏り、揺動の状況を発生しないようにする。特に、その突出するブレードは、比較的長い時間使用させることができ、該クリップブロックに挟まれるブレードが僅かであることにより、該ドリルが有効利用されることができ、浪費を効率的に減少させ、消耗材料コストを大幅に低減する。
【図面の簡単な説明】
【０００８】
【図１】公知のコレットチャックの立体分解説明図である。
【図２】公知のコレットチャックの後側面の平面拡大説明図である。
【図３】公知のコレットチャックの組み合わせ断面拡大説明図である。
【図４】公知の前側面の立体説明図である。
【図５】本考案の後側面の立体説明図である。
【図６】本考案の後側面の平面拡大説明図である。
【図７】図６のＡ−Ａ断面の説明図である。
【図８】図６のＢ−Ｂ断面の説明図である。
【図９】本考案の組み合わせ断面説明図である。
【考案を実施するための形態】
【０００９】
図４〜図９に示すように、本考案が記載するコレットチャック構造は、センターバレル３０、後錐部４０、前錐部５０、環溝６０、複数の前切断溝７０及び複数の後切断溝８０を含む。
【００１０】
該センターバレル３０は、前後端面を貫通し、且つドリル２０を貫通設置させることができる。
【００１１】
該後錐部４０は、後端に配置され、且つ後方へ向けて漸近的に縮小する。
【００１２】
該後錐部５０は、前端に配置され、且つ前方へ向けて漸近的に縮小し、該前錐部５０の長さは、該後錐部４０より長い。
【００１３】
該環溝６０は、外周面に設けられ、且つ該前後錐部５０，４０の間に位置する。
【００１４】
該複数の前切断溝７０は、該前錐部５０から該後錐部４０に延伸し、それは、外周面から該センターバレル３０まで貫通する。該前切断溝７０の前端は、前端面に延伸して開口状を呈し、後端は、後端面まで貫通せずに密閉状を呈する。各２つの隣り合う前切断溝７０の間は、クリップ爪７１をそれぞれ形成し、該クリップ爪７１の前端の内側面は、それぞれ該センターバレル３０の中央へ凸設するクリップブロック７２を有し、該ドリル２０のブレード２１を挟ませることができ、且つ該クリップブロック７２の長さｈ’は、該前錐部５０の長さＨの半分より小さい（ｈ’＜Ｈ／２）。該複数のクリップ爪７１のクリップブロック７２は、該センターバレル３０の前端においてクリップ孔７３を囲い、該クリップ孔７３は、該ドリル２０のブレード２１を貫通設置させることができ、クリップ孔７３後側のセンターバレル３０は、該ドリル２０のブレード柄２２を貫通設置させることができる。
【００１５】
該複数の後切断溝８０は、該後錐部４０から該前錐部５０に延伸し、且つ該周面から該センターバレル３０に貫通する。該複数の後切断溝８０は、該複数の前切断溝７０と交錯設置を呈し、且つ複数の開放溝８１及び複数の封止溝８２を含む。該複数の開放溝８１の前端は、前端面まで貫通せずに密閉状を呈し、後端は、後端面に貫通して開口状を呈する。該複数の封止溝８２の前後端は、何れも前後端面まで貫通せず、密閉状を呈し、即ち、該封止溝８２の後端は、後端面まで切断されず、両側溝壁を接続する接続ブロック８３を有し、それに密閉を形成させる。
【００１６】
本考案において、該前切断溝７０及び該後切断溝８０の数量は、それぞれ８つであり、そのうち、該後切断溝８０は、４つの開放溝８１及び４つの封止溝８２を含む。また、該前切断溝７０及び該後切断溝８０の数量は、それぞれ６つであることができ、そのうち、該後切断溝８０は、３つの開放溝８１及び３つの封止溝８２を含む。
【００１７】
本考案のコレットチャック構造は、該クリップブロック７２の長さｈ’が該前錐部５０の長さＨの半分より小さい構造設計によって、該コレットチャックが短いブレード２１のドリル２０を挟持する時、該ドリル２０のブレード２１が該コレットチャックの前端に比較的長い長さＬ’を突出できる。特に、該複数の後切断溝８０及び該複数の前切断溝７０が交錯設置を呈する設計を利用し、該複数の後切断溝８０の後端に開口状を呈する開放溝８１の数量を該前切断溝７０の数量より少なくさせ、従って、該複数の前切断溝７０が形成する複数のクリップ爪７１にこれにより比較的強い剛性を持たせ、相対して、該負数のクリップ爪７１前端のクリップブロック７２に比較的大きな支持力を持たせ、挟まれるドリル２０が研磨又は加工時に偏り又は揺動の状況を発生しないようにすることができる。特に、その突出するブレード２１は、比較的長い時間使用させることができ、該クリップブロック７２に挟まれるブレード２１（即ち、該コレットチャックの中に位置するブレード２１）が僅かであることにより、該ドリル２０が有効利用されることができ、浪費を効率的に減少させ、消耗材料コストを大幅に低減する。
【００１８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１９】
１０  固定部材
１１  ナット
１２  コレットチャック
１３  センターバレル
１４  後錐部
１５  前錐部
１６  前切断溝
１７  後切断溝
１８  クリップ爪
１９  クリップブロック
１９０  クリップ孔
２０  ドリル
２１  ブレード
２２  ブレード柄
３０  センターバレル
４０  後錐部
５０  前錐部
６０  環溝
７０  クリップ爪
７２  クリップブロック
７３  クリップ孔
８０  後切断溝
８１  開放溝
８２  封止溝
８３  接続ブロック
【図１】
0003190089.tif 000003
【図２】
0003190089.tif 000004
【図３】
0003190089.tif 000005
【図４】
0003190089.tif 000006
【図５】
0003190089.tif 000007
【図６】
0003190089.tif 000008
【図７】
0003190089.tif 000009
【図８】
0003190089.tif 000010
【図９】
0003190089.tif 000011